(57)【要約】      （修正有）【課題】上挟持部材及び下挟持部材を利用し、回路板を挟持し、回路板の搖動を防止する効果を達成する回路板に用いる挟持治具を提供する。【解決手段】上ロッド１０、下ロッド２０、一対の弾性体７０、一対のサイドロッド６０、複数の上挟持部材３０及び複数の下挟持部材４０を含み、下ロッド及び上ロッドは、対応し、且つ平行に配設され、下ロッド及び上ロッドの間に回路板９を設置させるスペースを形成し、サイドロッド一端は、それぞれ上ロッドの両端に接続し、且つ各サイドロッドの他端は、それぞれ各弾性体を介して下ロッドの両端に接続し、上挟持部材は、上ロッドに取り付けられ、下挟持部材は、下ロッドに取り付けられ、これにより、回路板の搖動の防止を達成する。【選択図】図１
0003185039.tif 000002
【実用新案登録請求の範囲】
【請求項１】
上ロッドと、
該上ロッドと互いに対応し、且つ平行に配設される下ロッドであり、該下ロッド及び該上ロッドの間に前記回路板を設置させるスペースを形成する下ロッドと、
一対の弾性体と、
一端がそれぞれ該上トッドの両端に接続し、且つ他端がそれぞれ該弾性体を介して該下ロッドの両端と接続する一対のサイドロッドと、
該上ロッド回路板に取り付けられる複数の上挟持部材と、
該下ロッド回路板に取り付けられる複数の下挟持部材と、
を含む回路板に用いる挟持治具。
【請求項２】
更に、バランスウエイトを含み、前記バランスウエイトは、前記下ロッドに取り付けられる請求項１に記載の回路板に用いる挟持治具。
【請求項３】
前記サイドロッドは、複数の金属線が編み込まれてなる部材である請求項１に記載の回路板に用いる挟持治具。
【請求項４】
前記上挟持部材及び該下挟持部材は、それぞれ間隔を呈する方式で配列される請求項１に記載の回路板に用いる挟持治具。
【請求項５】
更に、位置限定部材を含み、該位置限定部材は、複数の上位置限定ロッドを含み、該上位置限定ロッドは、それぞれ任意の隣り合う２つの該上挟持部材を跨ぎ接続する請求項４に記載の回路板に用いる挟持治具。
【請求項６】
前記位置限定部材は、更に、複数の下位置限定ロッドを含み、該下位置限定ロッドは、それぞれ任意の隣り合う２つの該下挟持部材を跨ぎ接続する請求項５に記載の回路板に用いる挟持治具。
【請求項７】
前記上挟持部材及び該下挟持部材は、それぞれ、互いに接合して且つ前記回路板端縁を挟持する第１挟持段及び第２挟持段を含む請求項１に記載の回路板に用いる挟持治具。
【請求項８】
前記上挟持部材及び該下挟持部材は、それぞれ、各第１挟持段から延伸する第１押圧段及び各該第２挟持段から延伸する第２押圧段を含む請求項７に記載の回路板に用いる挟持治具。
【請求項９】
前記上挟持部材及び該下挟持部材は、それぞれ該第１挟持段に取り付ける第１磁性ブロックと、該第２挟持段に取り付ける第２磁性ブロックと、該第３挟持段に取り付ける第３磁性ブロックと、該第４挟持段に取り付ける第４磁性ブロックと、を含み、各該第１磁性ブロック及び各該第２磁性ブロックが相互に吸着し、各該第３磁性ブロック及び各該第４磁性ブロックが相互に吸着する請求項８に記載の回路板に用いる挟持治具。
【考案の詳細な説明】
【技術分野】
【０００１】
本考案は、挟持治具に関し、特に、回路板に用いる挟持治具に関する。
【背景技術】
【０００２】
回路板の回路層は、通常、エッチング及び洗浄の工程を経て回路板表面に形成される。しかしながら、回路板に対し、エッチング又は洗浄の加工を行う時、挟持治具を利用し、回路板を搬送工具に固定する必要があり、更に、搬送工具を利用し、回路板をエッチング又は洗浄の加工工程ライン中に送り、回路板に対し、エッチング又は洗浄の加工を行う。
【０００３】
そのうち、回路板は、軟質回路板であり、且つ挟持治具が回路板を搬送工具に挟み固定する時、その挟持治具は、ただ回路板の上端縁を挟持するだけであるので、回路板をエッチング又は洗浄の工程に送る時、エッチング又は洗浄の液体の衝撃により、回路板が搖動する状況を発生し易く、近隣回路板をスクラッチする状況が発生する。
【先行技術文献】
【特許文献】
【０００４】
【特許文献１】特開２００２−２３２１１７号公報
【考案の概要】
【考案が解決しようとする課題】
【０００５】
本考案の目的は、上挟持部材及び下挟持部材を利用し、回路板を挟持し、回路板の搖動を防止する効果を達成する回路板に用いる挟持治具を提供することにある。
【課題を解決するための手段】
【０００６】
上記目的を達成する為、本考案は、回路板に用いる挟持治具を提供し、上ロッド、下ロッド、一対の弾性体、一対のサイドロッド、複数の上挟持部材及び複数の下挟持部材を含み、該下ロッド及び該上ロッドは、対応し、且つ平行に配設され、該下ロッド及び該上ロッドの間に前記回路板を設置させるスペースを形成し、該対サイドロッド一端は、それぞれ該上ロッドの両端に接続し、且つ各該サイドロッドの他端は、それぞれ各該弾性体を介して該下ロッドの両端に接続し、該上挟持部材は、該上ロッドに取り付けられ、該下挟持部材は、該下ロッドに取り付けられる。
【考案の効果】
【０００７】
本考案は、更に以下の効果を有する：第１点として、上挟持部材及び下挟持部材がそれぞれ相互に吸着する第１磁性ブロック及び第２磁性ブロックを設け、上挟持部材及び下挟持部材に更に安定して回路板の端縁を挟持させることができ、上挟持部材、下挟持部材又は回路板がその他の外力の影響を受けて相互に分離する状況を回避する。第２点として、上挟持部材及び下挟持部材は、それぞれ相互に吸着する第３磁性ブロック及び第４磁性ブロックを設け、上挟持部材及び下挟持部材の第１挟持段及び第２挟持段を容易に分離し、回路板に容易に上挟持部材及び下挟持部材を取り外させる効果を達成する。第３点として、サイドロッドは、複数の金属線が交錯して編み込まれてなる部材であり、挟持治具を使用しない時、サイドロッドを折り畳むことができ、挟持治具が占有する空間を減少し、容易な収容の効果を達成する。第４点として、上位置限定ロッド及び下入り限定ロッドの設置により、上挟持部材が上トッドを中心に回転することを防止し、下挟持部材が下ロッドを中心に回転することを防止する。
【図面の簡単な説明】
【０００８】
【図１】本考案の組み合わせ説明図である。
【図２】本考案の説明図である。
【図３】本考案の立体図である。
【考案を実施するための形態】
【０００９】
本考案の詳細及び技術内容について、図面に合わせ、以下に説明するが、図面は、参考及び説明用に提供するだけであり、本考案に制限を加えるものではない。
【００１０】
図１〜図３を参照し、それは、それぞれ本考案の組み合わせ説明図、説明図及び立体図であり、本考案は、回路板９に用いる挟持治具１を提供し、主に、上ロッド１０、下ロッド２０、複数の上挟持部材３０、複数の下挟持部材４０及びバランスウエイト５０を含む。
【００１１】
上ロッド１０は、金属部材、セラミック部材又はプラスチック部材であるが、これに限定するものではなく、上ロッド１０は、複数の上支持柱を凸伸し、該上支持柱は、搬送工具を接続する。
【００１２】
下ロッド２０は、金属部材、セラミック部材又はプラスチック部材であるが、これに限定するものではなく、下ロッド２０は、上ロッド１０と互いに対応し、平行に配設され、且つ下ロッド２０及び上ロッド１０の間にスペース１００を形成し、スペース１００は、回路板９を設置させる。
【００１３】
該上挟持部材３０は、間隔をおいて配列する方式で上ロッド１０に取り付けられ、各上挟持部材３０は、第１挟持段３１、第２挟持段３２、第１押圧段３３、第２押圧段３４、第１磁性ブロック３５、第２磁性ブロック３６、第３磁性ブロック３７及び第４磁性ブロック３８を含む。各第１挟持段３１及び各第２挟持段３２は、相互に接合され、且つ回路板９の上端縁を挟持する。回路板９は、軟質回路板である。各第１押圧段３３は、各第１挟持段３１から延伸し、各第２押圧段３４は、各第２挟持段３２から延伸する。各第１磁性ブロック３５は、各第１挟持段３１に取り付けられ、各第２磁性ブロック３６は、各第２挟持段３２に取り付けられ、各第１磁性ブロック３５及び各第２磁性ブロック３６は、相互に吸着する。各第３磁性ブロック３７は、各第１押圧段３３に取り付けられ、各第４磁性ブロック３８は、各第２押圧段３４に取り付けられ、各第３磁性ブロック３７及び各第４磁性ブロック３８は、相互に吸着する。
【００１４】
該下挟持部材４０は、間隔をおいて配列する方式で下ロッド２０に取り付けられ、各下挟持部材４０は、第１挟持段４１、第２挟持段４２、第１押圧段４３、第２押圧段４４、第１磁性ブロック４５、第２磁性ブロック４６、第３磁性ブロック４７及び第４磁性ブロック４８を含む。各第１挟持段４１及び各第２挟持段４２は、相互に接合し、且つ回路板９の下端縁を挟持する。各第１押圧段４３は、各第１挟持段４１から延伸し、各第２押圧段４４は、各第２挟持段４２から延伸する。各第１磁性ブロック４５は、各第１挟持段４１に取り付けられ、各第２磁性ブロック４６は、各第２挟持段４２に取り付けられ、各第１磁性ブロック４５及び各第２磁性ブロック４６は、相互に吸着する。各第３磁性ブロック４７は、各第１押圧段４３に取り付けられ、各第４磁性ブロック４８は、各第２押圧段４４に取り付けられ、各第３磁性ブロック４７及び各第４磁性ブロック４８は、相互に吸着する。
【００１５】
バランスウエイト５０は、下ロッド２０に取り付けられ、バランスウエイト５０は、金属部材又はセラミック部材であることができるが、これに限定するものではなく、搬送工具は、下挟持部材４０を有し、下挟持部材４０は、バランスウエイト５０を有する。
【００１６】
その挟持治具１は、更に、一対のサイドロッド６０、一対の弾性体７０及び位置限定ロッド８０を含む。
【００１７】
該対サイドロッド６０は、それぞれ、上ロッド１０及び下ロッド２０の両端部を跨ぎ接続し、且つそれぞれ回路板９の両側に位置し、各サイドロッド６０は、フレキシブル部材であり、且つ複数の金属線６１が交錯して編み込まれてなる。
【００１８】
該対弾性体７０は、それぞれ各サイドロッド６０及び下ロッド２０の両端部の間に挟み設けられ、各弾性体７０は、バネ又は＠＠優力膠からなる部材であることができるが、これに限定するものではない。
【００１９】
位置限定部材８０は、複数の上位置限定ロッド８１及び複数の下位置限定ロッド８２を含み、該上位置限定ロッド８１は、それぞれ任意の２つの隣り合う上挟持部材３０を跨ぎ接続する。該下位置限定ロッド８２は、それぞれ任意の２つの隣り合う下挟持部材４０を跨ぎ接続する。
【００２０】
回路板９に対し、エッチング又は洗浄の工程を行う時、バランスウエイト５０に寄り下ロッド２０を下向きに引く下向き作用力を提供することができ、回路板９を平らに引き伸ばし、回路体９がエッチング及び洗浄工程を経て成形する回路層の歩留まりを向上する。且つ各上挟持部材３０により回路板９の上端縁を挟持することができ、各下挟持部材４０が回路板９の下端縁を挟持し、回路板９がエッチング又は洗浄液の衝撃を受ける時、搖動を発生する状況を回避し、且つバランスウエイト５０が下ロッド２０に下向きに引く下向き作用力を提供し、回路板９の搖動を防止する効果を更に向上させることができる。
【００２１】
また、各サイドロッド６０及び下ロッド２０の両端部の間に各弾性体７０を挟み設け、その各弾性体７０は、下ロッド２０に上向き作用力を提供し、上向き作用力に下向き作用力を相殺させ、バランスウエイト５０及び下ロッド２０の回路板９に対し、下向きに引く力量を軽減し、回路板９がバランスウエイト５０の作用により下向きに引き伸ばされることを回避し、回路板９が変形する状況を招くことを防止する。
【００２２】
また、各上挟持部材３０及び各下挟持部材４０は、それぞれ相互に吸着する各第１磁性ブロック３５，４５及び各第２磁性ブロック３６，４６を設け、各上挟持部材３０が各第１磁性ブロック３５及び各第２磁性ブロック３６を介し、各第１挟持段３１及び各第２挟持段３２に更に安定して回路板９の上端縁を挟持させ、各下挟持段４０は、各第磁性ブロック４５及び各第２磁性ブロック４６を経由し、更に安定して回路板９の下端縁を挟持させることができ、各上挟持部材３０、各下挟持部材４０又は回路板９がその他の外力の影響を受けて相互に分離する状況を発生することを回避する。
【００２３】
また、各上挟持部材３０及び各下挟持部材４０がそれぞれ相互に吸着する各第３磁性ブロック３７及び各第４磁性ブロック３８を設け、各上挟持部材３０は、各第３磁性ブロック３７及び各第４磁性ブロック３８を介して各第１押圧段３３及び各第２押圧段３４を軽く押圧させ、各第１挟持段３１及び各第２挟持段３２の容易な分離を達成し、回路板９に各上挟持部材３０から容易に取り外すことができ、各下挟持部材４０は、各第３磁性ブロック４７及び各第４磁性ブロック４８を介し、各第１押圧段４３及び各第２押圧段４４を軽く押圧させ、第１挟持段４１及び各第２挟持段４２の容易な分離を達成し、回路板９を各下挟持部材４０から容易に取り外すことができる。これにより、回路板９の容易な着脱の効果を達成する。
【００２４】
この他、挟持治具１の各サイドロッド６０が複数の金属線６１が交錯して編み込まれてなる部材であることにより、挟持治具１を使用しない時、サイドロッド６０を湾曲して、挟持治具１が占有する空間を減少し、容易な収納の効果を達成する。
【００２５】
これだけではなく、更に、任意の隣り合う上挟持部材３０の間に跨ぎ接続する各上位置限定ロッド８１及び任意の隣り合う下挟持部材４０の間に跨ぎ接続する各下位置限定ロッド８２により、上挟持部材３０が上ロッド１０を中心に回転することを防止し、下挟持部材４０が下ロッド２０を中心として回転する状況を防止する。
【００２６】
上記のように、本考案の回路板に用いる挟持治具は、産業利用性を有し、新規性及び進歩性を有し、本考案の構造は、同類製品及び公開使用が見られない。
【符号の説明】
【００２７】
１    挟持治具
１０  上ロッド
１００スペース
２０  下ロッド
３０  上挟持部材
３１  第１挟持段
３２  第２挟持段
３３  第１押圧段
３４  第２押圧段
３５  第１磁性ブロック
３６  第２磁性ブロック
３７  第３磁性ブロック
３８  第４磁性ブロック
４０  下挟持部材
４１  第１挟持段
４２  第２挟持段
４３  第１押圧段
４４  第２押圧段
４５  第１磁性ブロック
４６  第２磁性ブロック
４７  第３磁性ブロック
４８  第４磁性ブロック
５０  バランスウエイト
６０  サイドロッド
６１  金属線
７０  弾性体
８０  位置限定部材
８１  上位置限定ロッド
８２  下位置限定ロッド
９    回路板
【図１】
0003185039.tif 000003
【図２】
0003185039.tif 000004
【図３】
0003185039.tif 000005